(57)【要約】【課題】本発明は、乾燥に伴う加湿素子の加湿性能の低下を抑制することができる加湿装置を得るものである。【解決手段】本発明に係る加湿装置１は、透湿膜が設けられた通風路を有し、該通風路に供給された空気を、該透湿膜を介して加湿する加湿素子２と、給水弁４ａを有し、該給水弁４ａを介して給水源８から加湿素子２に水を供給する給水系４と、排水弁５ａを有し、該排水弁５ａを介して加湿素子２から水を排出する排水系５と、給水弁４ａと排水弁５ａとを制御して、加湿動作を停止した後に、第１排水動作を行い、その後に第１給水動作を行い、その後に第２排水動作を行う制御部７ａを有する制御手段７と、を備えたものである。【選択図】図１
2014085028.tif 000002
【特許請求の範囲】
【請求項１】
透湿膜が設けられた通風路を有し、該通風路に供給された空気を、該透湿膜を介して加湿する加湿素子と、
給水弁を有し、該給水弁を介して給水源から前記加湿素子に水を供給する給水系と、
排水弁を有し、該排水弁を介して前記加湿素子から水を排出する排水系と、
前記給水弁と前記排水弁とを制御して、加湿動作を停止した後に、第１排水動作を行い、その後に第１給水動作を行い、その後に第２排水動作を行う制御部を有する制御手段と、
を備えたことを特徴とする加湿装置。
【請求項２】
前記制御部は、前記第１排水動作及び前記第１給水動作の少なくともいずれか一方を、予め設定された基準継続時間だけ継続する、
ことを特徴とする請求項１に記載の加湿装置。
【請求項３】
前記制御手段は、前記第１給水動作を禁止するか否かを設定する設定部を有し、
前記制御部は、前記設定部の設定に応じて前記給水弁と前記排水弁とを制御する、
ことを特徴とする請求項１又は２に記載の加湿装置。
【請求項４】
前記制御手段は、保守作業中であるか否かを判定する判定部を有し、
前記設定部は、前記判定部の判定に応じて前記第１給水動作を禁止するか否かを設定する、
ことを特徴とする請求項３に記載の加湿装置。
【請求項５】
保守作業時に開閉される開口部と、
前記開口部の開閉状態を検出する検出手段と、
を備え、
前記判定部は、前記検出手段の検出結果に応じて保守作業中であるか否かを判定する、
ことを特徴とする請求項４に記載の加湿装置。
【請求項６】
前記制御手段は、選択部を有し、
前記設定部は、前記選択部の選択に応じて前記第１給水動作を禁止するか否かを設定する、
ことを特徴とする請求項３乃至５のいずれか一項に記載の加湿装置。
【請求項７】
前記制御部は、前記選択部が操作された後、予め設定された基準回数だけ前記第１給水動作を禁止する、
ことを特徴とする請求項６に記載の加湿装置。
【請求項８】
前記選択部は、装置の外部に設けられた、
ことを特徴とする請求項６又は７に記載の加湿装置。
【請求項９】
透湿膜が設けられた通風路を有し、該通風路に供給された空気を、該透湿膜を介して加湿する加湿素子と、給水弁を有し、該給水弁を介して給水源から前記加湿素子に水を供給する給水系と、排水弁を有し、該排水弁を介して前記加湿素子から水を排出する排水系と、を備えた加湿装置の制御方法であって、
加湿動作を停止するステップと、
前記給水弁と前記排水弁とを制御して、第１排水動作を行うステップと、
前記給水弁と前記排水弁とを制御して、第１給水動作を行うステップと、
前記給水弁と前記排水弁とを制御して、第２排水動作を行うステップと、
を有することを特徴とする加湿装置の制御方法。
【発明の詳細な説明】
【技術分野】
【０００１】
本発明は、加湿装置、及び、その制御方法に関するものである。
【背景技術】
【０００２】
従来の加湿装置として、給水源（例えば、水道等）から加湿素子に水が供給され、加湿素子の通風路に供給された空気が、透湿膜（例えば、疎水性多孔質膜等）を介して加湿されるものがある。
透湿膜は、水の通過を許容せず、水蒸気の通過を許容する。
このような加湿装置では、供給された水に含まれるゴミ、スケール分（カルシウム分等）等が透湿膜を通過することがなく、通風路に供給された空気を汚染することなく加湿することができる。
【０００３】
一方、加湿素子に供給された水が排出されず、その水が長期間にわたって加湿素子内に貯留され続けると、ゴミ、スケール分等が透湿膜に付着して加湿性能が低下し、また、カビ、細菌等が繁殖して悪臭等が発生してしまう。
そのため、従来の加湿装置では、加湿素子に排水系が接続され、加湿動作が停止状態になった時点で、貯留された水が排出される排水動作が行われる（特許文献１参照）。
また、従来の加湿装置では、排水動作の後に送風機が稼働状態になって、加湿素子を乾燥させる乾燥動作が行われる（特許文献２参照）。
【先行技術文献】
【特許文献】
【０００４】
【特許文献１】特開平８−２４７５０９号公報（段落［００３１］−［００３６］）
【特許文献２】特許第４１１１０５８号（段落［００１３］−［００１４］）
【発明の概要】
【発明が解決しようとする課題】
【０００５】
排水動作の後に乾燥動作が行われない、つまり、加湿素子が自然乾燥される場合には、排水動作で排出しきれなかった水が加湿素子に残留し、その残留した水の周囲が高湿となり、空気中のカビ、細菌等が付着して悪臭等が発生する。
一方、排水動作の後に乾燥動作が行われる場合には、加湿素子に残留した水が迅速に蒸発するため、悪臭等の発生が抑制される。
【０００６】
しかし、いずれの場合においても、直前までの加湿動作でスケール分が濃縮された水が蒸発することで、多くのスケール分が析出して透湿膜に付着し、加湿素子の加湿性能が著しく低下してしまうという問題点があった。
【０００７】
本発明は、上記のような課題を解決するためになされたもので、乾燥に伴う加湿素子の加湿性能の低下を抑制することができる加湿装置を得るものである。
また、乾燥に伴う加湿素子の加湿性能の低下を抑制することができる加湿装置の制御方法を得るものである。
【課題を解決するための手段】
【０００８】
本発明に係る加湿装置は、透湿膜が設けられた通風路を有し、該通風路に供給された空気を、該透湿膜を介して加湿する加湿素子と、給水弁を有し、該給水弁を介して給水源から前記加湿素子に水を供給する給水系と、排水弁を有し、該排水弁を介して前記加湿素子から水を排出する排水系と、前記給水弁と前記排水弁とを制御して、加湿動作を停止した後に、第１排水動作を行い、その後に第１給水動作を行い、その後に第２排水動作を行う制御部を有する制御手段と、を備えたものである。
【発明の効果】
【０００９】
本発明に係る加湿装置は、給水弁と排水弁とを制御して、加湿動作を停止した後に、第１排水動作を行い、その後に第１給水動作を行い、その後に第２排水動作を行う制御部を有する制御手段を備えることで、乾燥に伴う加湿素子の加湿性能の低下を抑制することができる。
【図面の簡単な説明】
【００１０】
【図１】本発明の実施の形態１に係る加湿装置の、構成を示す図である。
【図２】本発明の実施の形態１に係る加湿装置の、加湿素子周辺の構成を示す斜視図である。
【図３】本発明の実施の形態１に係る加湿装置の、加湿素子の加湿機能体の構成を示す図である。
【図４】本発明の実施の形態１に係る加湿装置の、制御フローを示す図である。
【図５】本発明の実施の形態１に係る加湿装置の、制御フローの変形例を示す図である。
【図６】本発明の実施の形態２に係る加湿装置の、構成を示す図である。
【図７】本発明の実施の形態２に係る加湿装置の、制御フローを示す図である。
【図８】本発明の実施の形態３に係る加湿装置の、構成を示す図である。
【図９】本発明の実施の形態３に係る加湿装置の、制御フローを示す図である。
【発明を実施するための形態】
【００１１】
以下、本発明に係る加湿装置について、図面を用いて説明する。
なお、各図において、同一部材又は同一部分には同一の符号を付している。
また、細かい構造については、適宜図示を簡略化又は省略している。
また、重複又は類似する説明については、適宜簡略化又は省略している。
【００１２】
実施の形態１．
実施の形態１に係る加湿装置について説明する。
（加湿装置の構成）
以下に、実施の形態１に係る加湿装置の構成について説明する。
図１は、実施の形態１に係る加湿装置の、構成を示す図である。
図２は、実施の形態１に係る加湿装置の、加湿素子周辺の構成を示す斜視図である。
図１、図２に示すように、加湿装置１は、加湿素子２と、ドレン容器３と、給水系４と、排水系５と、送風機６と、コントローラ７と、を有する。
コントローラ７は、本発明における「制御手段」に相当する。
【００１３】
加湿素子２は、１つでもよく、複数でもよい（図２では２つの場合を示す）。
加湿素子２の天部構造の両側の稜角部は、例えば、加湿装置１の内部に装架されたガイドレール等に、抜き差し自在に保持される。
ガイドレールは、例えば、加湿装置１の内部に設けられた仕切壁と、加湿装置１の筐体の正面側内壁面とに、装架される。
加湿素子２の下方には、ドレン容器３が設けられる。
加湿装置１が、空気調和装置等の他の装置に組み込まれる場合、空気調和装置等の他の装置と共用される場合等では、ドレン容器３と他の装置のドレン容器とが、兼用されてもよく、また、別々に設けられてもよい。
【００１４】
加湿素子２には、給水系４と排水系５とが接続される。
給水系４の入口側には、水道設備等の給水源８が接続される。
給水系４は、給水弁４ａを有し、給水源８からの水を加湿素子２に供給する。
給水系４には、ゴミ、塵の侵入を防ぐストレーナが設けられるとよい。
給水源８との接続部を除く給水系４の接続部の全てが、図２のように、ドレン容器３の上方に集約されるとよい。
給水弁４ａは、加湿素子２に供給される水の圧力と流量とを調節する調節弁である。
排水系５は、排水弁５ａを有し、加湿素子２の水をドレン容器３に排出する。
排水弁５ａは、開状態と閉状態とを切り替える切替弁である。
【００１５】
加湿素子２は、自然蒸発によって空気を加湿する自然蒸発式の加湿素子である。
加湿素子２は、多数の加湿機能体２ａを有する。
図３は、実施の形態１に係る加湿装置の、加湿素子の加湿機能体の構成を示す図である。
図３に示すように、加湿機能体２ａは、給水系４から水が供給される給水体２ｂと、給水体２ｂに接続され保水層として機能する導水体２ｃと、送気層を形成するためのスペーサ２ｄと、を有する。
導水体２ｃは、長方形又は正方形の導水部材を、水の通過を許容せず水蒸気の通過を許容する多孔性の透湿膜で形成された袋状の膜体で封入した、複合シート構造の扁平体である。
導水部材は、剛直性と通水性とを併せ持つ三次元多孔板である。
【００１６】
図２に示すように、加湿素子２は、スペーサ２ｄが、隣接する加湿機能体２ａの導水体２ｃのスペーサ２ｄが設けられた面と対向する面に当接するように、多数の加湿機能体２ａが積層された六面体である。
このような積層によって、空気を通す通風路として機能する送気層が、導水体２ｃ間に形成される。
【００１７】
送風機６は、その気流の進行方向が、加湿素子２の送気層と平行になるように、加湿素子２の上流側又は下流側に設けられる。
送風機６によって、加湿装置１の外部の空気は、加湿素子２に送り込まれる。
加湿素子２に送り込まれた空気は、加湿素子２の送気層を通過し、導水体２ｃの透湿膜を通過した水蒸気によって加湿される。
加湿された空気は、加湿装置１の外部へ吹き出される。
【００１８】
コントローラ７には、給水弁４ａと排水弁５ａと送風機６とが接続される。
コントローラ７は、制御部７ａを有する。
コントローラ７には、マイクロプロセッサ、シーケンサ等が含まれる。
制御部７ａは、送風機６と給水弁４ａと排水弁５ａとを動作させる。
【００１９】
（加湿装置の制御フロー）
以下に、実施の形態１に係る加湿装置の制御フローについて説明する。
図４は、実施の形態１に係る加湿装置の、制御フローを示す図である。
なお、制御フローは、適宜変更することが可能である。
主電源がＯＮになると、ステップ４０１において、コントローラ７は、制御フローを開始する。
【００２０】
ステップ４０２において、制御部７ａは、加湿動作が停止状態に変化したか否かを判定する。
変化した場合は、ステップ４０３に進み、そうでない場合は、ステップ４０２に進む。
【００２１】
ステップ４０３において、制御部７ａは、給水弁４ａを閉状態にし、排水弁５ａを開状態にし、ステップ４０４に進む。
【００２２】
ステップ４０４において、制御部７ａは、排水動作の継続時間、つまり加湿動作が停止状態に変化してからの経過時間と、予め設定された排水動作の基準継続時間とを比較し、排水動作の継続時間が基準継続時間を超えている場合は、ステップ４０５に進み、そうでなければステップ４０３に進む。
排水動作の基準継続時間は、加湿素子２に貯留された水が十分排出されるのに必要な時間、つまり加湿素子２が水抜き状態になるのに必要な時間に設定される。
排水動作の基準継続時間が長く設定されると、加湿素子２が給水動作の前に乾燥してしまい、析出したスケール分が透湿膜に付着する。
そのため、排水動作の基準継続時間は、適切な長さ、例えば３０分以内に設定される必要がある。
【００２３】
ステップ４０５において、制御部７ａは、給水弁４ａを開状態にし、排水弁５ａを閉状態にし、ステップ４０６に進む。
制御部７ａは、給水弁４ａを一定の開度で開状態にしてもよく、開度を変化させつつ開状態にしてもよい。
制御部７ａが、給水弁４ａを一定の開度で、且つ、全開にした場合には、給水動作を短時間で終了することができる。
【００２４】
ステップ４０６において、制御部７ａは、給水動作の継続時間と、予め設定された給水動作の基準継続時間とを比較し、給水動作の継続時間が基準継続時間を超えている場合は、ステップ４０７に進み、そうでなければステップ４０５に進む。
給水動作の基準継続時間は、加湿素子２の排水動作前に水と接触していた全ての部分に給水動作で供給された水が接触するのに必要な時間、例えば、加湿素子２が加湿動作時に満水状態で使用されるのであれば加湿素子２が満水状態になるのに必要な時間に設定される。
制御部７ａが、開度を変化させつつ給水弁４ａを開状態にする場合には、例えば、給水系４に流量計が設けられる等によって、給水系４の給水量が検出され、制御部７ａは、給水動作の継続時間ではなく給水量を予め設定された基準給水量と比較する。
【００２５】
ステップ４０７において、制御部７ａは、給水弁４ａを閉状態にし、排水弁５ａを開状態にし、ステップ４０８に進む。
【００２６】
ステップ４０８において、制御部７ａは、主電源がＯＦＦになっているか否かを判定する。
ＯＦＦになっている場合は、ステップ４０９に進み、ＯＦＦになっていない場合は、ステップ４０２に進む。
【００２７】
ステップ４０９において、制御部７ａは、加湿装置１の終了処理を行って、ステップ４１０に進む。
制御部７ａは、終了処理において、乾燥動作を行ってもよく、また、乾燥動作を行わなくてもよい。
乾燥動作を行う場合には、制御部７ａは、ステップ４０７における排水動作によって加湿素子２が水抜き状態になった後に、例えば、送風機６、加温手段等を稼働状態にする。
【００２８】
ステップ４１０において、コントローラ７は、制御フローを終了する。
【００２９】
（加湿装置の作用）
以下に、実施の形態１に係る加湿装置の作用について説明する。
実施の形態１に係る加湿装置では、加湿動作が停止状態となった後に、排水動作が行われ、その後に給水動作と排水動作とが、つまり洗浄動作が行われ、その後に加湿素子２が乾燥される。
そのため、加湿動作が停止状態になった際に加湿素子２に貯留されていたスケール分の濃度が高い水が排出された後に、給水源８から供給されるスケール分の濃度が低い水で洗浄動作が行われることとなり、乾燥によって析出するスケール分が減少する。
その結果、透湿膜に付着するスケール分が減少し、加湿素子２の加湿性能が低下することが抑制される。
【００３０】
（変形例）
加湿装置１では、加湿素子２が、加湿機能体２ａを積層したものであるが、加湿素子２が、他の構造の加湿素子であってもよい。
他の構造の加湿素子には、パイプ状の透湿膜が多数並設されたような加湿素子、例えば、パイプ状のＰＴＦＥ（ポリテトラフルオロエチレン）が多数並設されたような加湿素子等が含まれる。
加湿素子２が、加湿機能体２ａを積層したものである場合には、保水層と送気層とが密に形成された構造を簡易に得ることができる。
【００３１】
加湿装置１では、排水弁５ａが、切替弁であるが、排水弁５ａが、圧力と流量とを調節する調節弁であってもよい。
例えば、ドレン容器３が他の装置と共用される場合等において、制御部７ａが、排水弁５ａの開度、つまり、排水系５から排出される水の流量を、ドレン容器３から水が溢れないように制御してもよい。
そのような場合には、例えば、排水系５に流量計が設けられる等によって、排水系５の排水量が検出され、制御部７ａは、排水動作の継続時間ではなく排水量を予め設定された基準排水量と比較する。
制御部７ａは、排水量の検出結果を他の制御に流用してもよい。
排水弁５ａが切替弁である場合には、装置構成が簡略化される。
【００３２】
加湿装置１では、排水動作の後の洗浄動作が、１回のみ行われているが、複数回繰り返されてもよい。
複数回繰り返される場合には、透湿膜に付着するスケール分が更に減少する。
但し、繰り返される回数がある程度以上になると、透湿膜に付着するスケール分を減少させる効果が弱まり、むしろ水の消費が増加してしまうため、繰り返される回数は、適切に設定される必要がある。
コントローラ７が設定部を有し、設定部が、加湿動作が停止状態になる前までの加湿動作の継続時間に応じて洗浄動作の繰り返し回数を設定し、制御部７ａが、設定部で設定された回数だけ洗浄動作を繰り返してもよい。
例えば、設定部は、継続時間が短い場合には、繰り返し回数を１回に設定し、継続時間が長い場合には、繰り返し回数を２回に設定する。
設定部は、加湿装置１が、送風機６のモータ回転数等、加湿動作の出力を変化させることができる場合には、出力の時間変化分を補正した継続時間を算出する。
【００３３】
加湿装置１では、排水動作の基準継続時間が、加湿素子２が水抜き状態になるのに必要な時間に設定されているが、コントローラ７が設定部を有し、設定部が、排水動作の基準継続時間を、加湿動作が停止状態になる前までの加湿動作の継続時間に応じた時間に変化させて設定してもよい。
例えば、設定部は、継続時間が短い場合には、排水動作の基準継続時間を、加湿素子２が水抜き状態になるのに必要な時間の半分に設定し、継続時間が長い場合には、排水動作の基準継続時間を、加湿素子２が水抜き状態になるのに必要な時間に設定する。
【００３４】
図５は、実施の形態１に係る加湿装置の、制御フローの変形例を示す図である。
加湿装置１では、洗浄動作が必ず行われるが、コントローラ７が設定部を有し、図５に示すように、設定部が、直前の排水動作後の加湿動作の積算時間に応じて洗浄動作を行うか否かを設定してもよい。
ステップ５０３以外は、図４におけるステップ４０１〜４１０と同様である。
ステップ５０３において、設定部は、直前の排水動作後の加湿動作の積算時間を予め設定された基準積算時間と比較し、直前の排水動作後の加湿動作の積算時間が基準積算時間を超える場合には、ステップ５０４に進み、そうでなければ、ステップ５０８に進む。
設定部が、更に、洗浄動作の繰り返し回数及び排水動作の基準継続時間の少なくともいずれか一方を設定してもよい。
設定部は、加湿装置１が、送風機６のモータ回転数等、加湿動作の出力を変化させることができる場合には、出力の時間変化分を補正した積算時間を算出する。
【００３５】
加湿装置１では、コントローラ７が、加湿装置１に設けられているが、コントローラ７の一部又は全てが、加湿装置１の遠隔にある他の装置に設けられてもよい。
【００３６】
実施の形態２．
実施の形態２に係る加湿装置について説明する。
なお、以下では、実施の形態１に係る加湿装置と重複又は類似する説明については、適宜簡略化又は省略している。
（加湿装置の構成）
以下に、実施の形態２に係る加湿装置の構成について説明する。
図６は、実施の形態２に係る加湿装置の、構成を示す図である。
図６に示すように、加湿装置１１は、加湿素子２と、ドレン容器３と、給水系４と、排水系５と、送風機６と、コントローラ１７と、検出手段１９と、を有する。
コントローラ１７は、本発明における「制御手段」に相当する。
【００３７】
加湿装置１１は、開閉自在の開口部１１ａを有する。
開口部１１ａは、保守作業時に開閉される。
開口部１１ａには、その開閉状態を検出する検出手段１９が設けられる。
検出手段１９は、例えば、開口部１１ａが開状態の時に断路するリミットスイッチである。
【００３８】
コントローラ１７には、給水弁４ａと排水弁５ａと送風機６と検出手段１９とが接続される。
コントローラ１７は、制御部１７ａと、判定部１７ｂと、設定部１７ｃと、を有する。
【００３９】
判定部１７ｂは、検出手段１９で検出された開口部１１ａの開閉状態に基づいて保守作業中か否かを判定する。
設定部１７ｃは、判定部１７ｂの判定結果に応じて、給水動作を禁止するか否かを設定する。
制御部１７ａは、設定部１７ｃの設定に応じて、送風機６と給水弁４ａと排水弁５ａとを動作させる。
【００４０】
給水弁４ａは、例えば、ノーマルクローズ方式（通電開方式）の弁であり、開口部１１ａが開状態になってリミットスイッチが断路されると、電源供給が遮断されて閉状態になる。
給水弁４ａが、ノーマルクローズ方式（通電開方式）の弁でない場合には、給水系４に、ノーマルクローズ方式（通電開方式）の他の弁が設けられてもよい。
リミットスイッチとノーマルクローズ方式（通電開方式）の弁とが用いられることで、装置構成が簡略化される。
【００４１】
（加湿装置の制御フロー）
以下に、実施の形態２に係る加湿装置の制御フローについて説明する。
図７は、実施の形態２に係る加湿装置の、制御フローを示す図である。
なお、制御フローは、適宜変更することが可能である。
ステップ７０５以外は、図４におけるステップ４０１〜４１０と同様である。
【００４２】
ステップ７０５において、判定部１７ｂは、検出手段１９で開口部１１ａが開状態であることが検出されると、保守作業中であると判定し、検出手段１９で開口部１１ａが閉状態であることが検出されると、保守作業中でないと判定する。
設定部１７ｃは、判定部１７ｂで保守作業中であると判定されると、給水動作を禁止することを設定し、ステップ７０２に進む。
設定部１７ｃは、判定部１７ｂで保守作業中でないと判定されると、給水動作を禁止しないことを設定し、ステップ７０６に進む。
【００４３】
（加湿装置の作用）
以下に、実施の形態２に係る加湿装置の作用について説明する。
実施の形態２に係る加湿装置では、保守作業時に給水動作が禁止される。
そのため、洗浄動作が行われることを知らない保守作業者が、例えば、主電源をＯＦＦにして直ぐに加湿素子２を給水系４から取り外してしまった場合等において、給水系４から水が噴出してしまうことが防止される。
【００４４】
（変形例）
加湿装置１１では、検出手段１９が、開口部１１ａの開閉状態を検出しているが、検出手段１９が、例えば、加湿装置１１へ人が接近しているか否かの情報等、他の情報を検出してもよい。
検出手段１９が、開口部１１ａの開閉状態を検出する場合には、装置構成が簡略化される。
【００４５】
加湿装置１１では、判定部１７ｂが、検出手段１９の検出結果に基づいて保守作業中か否かを判定しているが、検出手段１９が設けられず、例えば、保守作業の予定日時の情報等、他の情報に基づいて保守作業中か否かを判定してもよい。
判定部１７ｂが、検出手段１９の検出結果に基づいて保守作業中か否かを判定する場合には、給水系４から水が噴出してしまうことが確実に防止される。
【００４６】
加湿装置１１では、設定部１７ｃが、保守作業中か否かの判定結果に基づいて給水動作を禁止するか否かを設定しているが、設定部１７ｃが、例えば、故障しているか否かの情報等、他の情報に基づいて給水動作を禁止するか否かを設定してもよい。
故障しているか否かの情報は、例えば、加湿素子２が給水系４に接続されているか否かが検出手段で検出されることで取得される。
【００４７】
実施の形態３．
実施の形態３に係る加湿装置について説明する。
なお、以下では、実施の形態１及び実施の形態２に係る加湿装置と重複又は類似する説明については、適宜簡略化又は省略している。
（加湿装置の構成）
以下に、実施の形態３に係る加湿装置の構成について説明する。
図８は、実施の形態３に係る加湿装置の、構成を示す図である。
図８に示すように、加湿装置２１は、加湿素子２と、ドレン容器３と、給水系４と、排水系５と、送風機６と、コントローラ２７と、を有する。
コントローラ２７は、本発明における「制御手段」に相当する。
【００４８】
コントローラ２７には、給水弁４ａと排水弁５ａと送風機６とが接続される。
コントローラ２７は、制御部１７ａと、選択部２７ｄと、設定部２７ｃと、を有する。
【００４９】
選択部２７ｄは、切替スイッチである。
切替スイッチは、保守作業者によって操作される。
保守作業者は、切替スイッチを操作することで、保守作業中であることと保守作業中でないことのいずれかを、選択する。
選択部２７ｄが、ＯＮ／ＯＦＦスイッチで、ＯＦＦ状態では、保守作業中でないことが選択され、ＯＮ状態では、保守作業中であることが選択されてもよい。
設定部２７ｃは、選択部２７ｄの選択に応じて、給水動作を禁止するか否かを設定する。
【００５０】
（加湿装置の制御フロー）
以下に、実施の形態３に係る加湿装置の制御フローについて説明する。
図９は、実施の形態３に係る加湿装置の、制御フローを示す図である。
なお、制御フローは、適宜変更することが可能である。
ステップ９０５、９０６以外は、図４におけるステップ４０１〜４１０と同様である。
【００５１】
ステップ９０５において、設定部２７ｃは、選択部２７ｄで保守作業中でないことが選択されると、給水動作を禁止しないことを設定し、ステップ９０７に進み、選択部２７ｄで保守作業中であることが選択されると、ステップ９０６に進む。
【００５２】
ステップ９０６において、設定部２７ｃは、保守作業中であることが選択される状態に選択部２７ｄが操作された後の給水動作の禁止回数と、予め設定された基準禁止回数と、を比較し、禁止回数が基準禁止回数以上である場合は、給水動作を禁止しないことを設定し、ステップ９０７に進み、そうでなければ、給水動作を禁止することを設定し、ステップ９０２に進む。
基準禁止回数は、洗浄動作の繰り返し回数が１回である場合には、１回に設定され、繰り返し回数が複数である場合には、その回数に設定される。
【００５３】
（加湿装置の作用）
以下に、実施の形態３に係る加湿装置の作用について説明する。
実施の形態３に係る加湿装置では、保守作業者が選択部２７ｄを操作することによって、給水動作が禁止される。
そのため、保守作業者が、例えば、主電源をＯＦＦにして直ぐに加湿素子２を給水系４から取り外してしまった場合等において、給水系４から水が噴出してしまうことが防止される。
【００５４】
また、実施の形態３に係る加湿装置では、保守作業中の給水動作の禁止回数が予め設定された基準禁止回数以上になると、選択部２７ｄの選択に拘らず給水動作の禁止が解除される。
そのため、保守作業者が、保守作業を終了する際に、保守作業中でないことが選択される状態に選択部２７ｄを操作し忘れても、通常の動作に復帰することができる。
【００５５】
（変形例）
加湿装置２１では、設定部２７ｃが、保守作業中であることが選択される状態に選択部２７ｄが操作された後の給水動作の禁止回数と、予め設定された基準禁止回数と、を比較して、給水動作を禁止するか否かを設定しているが、設定部２７ｃが、保守作業中であることが選択される状態に選択部２７ｄが操作された後の経過時間と、予め設定された基準時間と、を比較して、給水動作を禁止するか否かを設定してもよい。
【００５６】
加湿装置２１では、選択部２７ｄが、保守作業中であることを選択するものであるが、選択部２７ｄが、例えば、故障していることを選択するものである等、他の状況を選択するものであってもよい。
例えば、使用者は、加湿素子２が給水系４に接続されていないことを知った際に選択部２７ｄを操作する。
【００５７】
加湿装置２１では、選択部２７ｄが、切替スイッチであるが、選択部２７ｄが、ソフトウェアのインターフェース等、他の選択手段であってもよい。
また、加湿装置２１では、選択部２７ｄが、加湿装置２１に設けられているが、選択部２７ｄが、加湿装置２１の遠隔にある他の装置に設けられてもよい。
そのような場合には、選択部２７ｄの操作を遠隔地点から行うことができ、例えば、集中管理を行う場合等において、保守作業者が選択部２７ｄを操作する際の作業性が向上される。
【００５８】
加湿装置２１が、実施の形態２に係る加湿装置のように、検出手段１９と判定部１７ｂとを有してもよい。
そのような場合には、コントローラ２７は、例えば、保守作業者が選択部２７ｄを操作しない場合に、判定部１７ｂを機能させる。
【００５９】
以上、実施の形態１乃至実施の形態３について説明したが、本発明は各実施の形態の説明に限定されない。
例えば、各実施の形態又は各変形例を組み合わせることも可能である。
【符号の説明】
【００６０】
１、１１、２１  加湿装置、１１ａ  開口部、２  加湿素子、２ａ  加湿機能体、２ｂ  給水体、２ｃ  導水体、２ｄ  スペーサ、３  ドレン容器、４  給水系、４ａ  給水弁、５  排水系、５ａ  排水弁、６  送風機、７、１７、２７  コントローラ、７ａ、１７ａ  制御部、１７ｂ  判定部、１７ｃ、２７ｃ  設定部、２７ｄ  選択部、８  給水源、１９  検出手段。
【図１】
2014085028.tif 000003
【図２】
2014085028.tif 000004
【図３】
2014085028.tif 000005
【図４】
2014085028.tif 000006
【図５】
2014085028.tif 000007
【図６】
2014085028.tif 000008
【図７】
2014085028.tif 000009
【図８】
2014085028.tif 000010
【図９】
2014085028.tif 000011